(57)【要約】【課題】ＯＦＤＭＡ無線接続システムにおいてＨＡＲＱを支援する方法を提供する。【解決手段】多重入出力を支援するように構成される無線通信システムにおいてパケットデータを送信する方法は、各レイヤー（ｌａｙｅｒ）が相応するチャネルエンコーダでエンコーディングされる複数のレイヤーを含むデータバースト（ｄａｔａ  ｂｕｒｓｔ）と、前記複数のレイヤーのそれぞれに相応する受信確認状態チャネルの割当情報を含む前記複数のレイヤーのそれぞれの制御情報を提供し、時空間送信ダイバーシティを獲得できる多重アンテナを支援するように構成されるデータマップ情報要素とを含む、下り回線データフレームを受信する段階、及び、上り回線データフレームを通して前記複数のレイヤーのうちの相応するレイヤーが正確にデコーディングされたか否かと関連する複数の受信確認状態を送信する段階と、を含む。【選択図】なし
2008526090.tif 000002
【特許請求の範囲】
【請求項１】
多重入出力を支援するように構成される無線通信システムにおいてパケットデータを送信する方法であって、
各レイヤー（ｌａｙｅｒ）が相応するチャネルエンコーダでエンコーディングされる複数のレイヤーを含むデータバースト（ｄａｔａ  ｂｕｒｓｔ）と、前記複数のレイヤーのそれぞれに相応する受信確認状態チャネルの割当情報を含む前記複数のレイヤーのそれぞれの制御情報を提供し、時空間送信ダイバーシティを獲得できる多重アンテナを支援するように構成されるデータマップ情報要素とを含む、下り回線データフレームを受信する段階と、
上り回線データフレームを通して、前記複数のレイヤーのうちの相応するレイヤーが正確にデコーディングされたか否かと関連する複数の受信確認状態を送信する段階と、
を含む、パケットデータ送信方法。
【請求項２】
前記複数のレイヤーのそれぞれの制御情報は、トラフィック間隔（ｔｒａｆｆｉｃ  ｉｎｔｅｒｖａｌ）、チャネル識別子（ｃｈａｎｎｅｌ  ｉｄｅｎｔｉｆｉｅｒ）、再転送状態（ｒｅｔｒａｎｓｍｉｓｓｉｏｎ  ｓｔａｔｕｓ）及び再転送中に相異なるリダンダンシビットを選択する値（ｖａｌｕｅ  ｔｏ  ｓｅｌｅｃｔ  ａ  ｄｉｆｆｅｒｅｎｔ  ｒｅｄｕｎｄａｎｃｙ  ｂｉｔ  ｄｕｒｉｎｇ  ｒｅｔｒａｎｓｍｉｓｓｉｏｎ）のうちの少なくとも１つを含むことを特徴とする、請求項１に記載のパケットデータ送信方法。
【請求項３】
前記チャネルエンコーダは、ＦＥＣ（ｆｏｒｗａｒｄ  ｅｒｒｏｒ  ｃｏｒｒｅｃｔｉｏｎ）エンコーダを含むことを特徴とする、請求項１に記載のパケットデータ送信方法。
【請求項４】
前記データマップ情報要素は、ＨＡＲＱマップ情報要素（ＨＡＲＱ  ｍａｐ  ｉｎｆｏｒｍａｔｉｏｎ  ｅｌｅｍｅｎｔ）を含むことを特徴とする、請求項１に記載のパケットデータ送信方法。
【請求項５】
前記複数の受信確認状態のためにハーフサブチャネル（ａ  ｈａｌｆ  ｓｕｂｃｈａｎｎｅｌ）が用いられることを特徴とする、請求項１に記載のパケットデータ送信方法。
【請求項６】
前記複数の受信確認状態のうちの少なくとも一部は、コードワード（ｃｏｄｅｗｏｒｄ）で表現されることを特徴とする、請求項１に記載のパケットデータ送信方法。
【請求項７】
前記データマップ情報要素は、上り回線マップ情報要素または下り回線マップ情報要素のいずれかであることを特徴とする、請求項１に記載のパケットデータ送信方法。
【請求項８】
多重入出力を支援するように構成される無線通信システムにおいてパケットデータを送信する方法であって、
複数のレイヤーのそれぞれに相応する受信確認状態チャネルの割当情報を含む前記複数のレイヤーのそれぞれの制御情報を提供し、時空間送信ダイバーシティを獲得できる多重アンテナを支援するように構成されるデータマップ情報要素を含む第１下り回線データフレームを受信する段階と、
上り回線データフレームを通して、各レイヤーが相応するチャネルエンコーダでエンコーディングされる前記複数のレイヤーを含むデータバーストを送信する段階と、
各受信確認状態が、前記複数のレイヤーのうちの相応するレイヤーが正確にデコーディングされたか否かと関連する複数の受信確認状態を含む、第１下り回線データフレームを受信する段階と、
を含む、パケットデータ送信方法。
【請求項９】
前記複数のレイヤーのそれぞれの制御情報は、トラフィック間隔（ｔｒａｆｆｉｃ  ｉｎｔｅｒｖａｌ）、チャネル識別子（ｃｈａｎｎｅｌ  ｉｄｅｎｔｉｆｉｅｒ）、再転送状態（ｒｅｔｒａｎｓｍｉｓｓｉｏｎ  ｓｔａｔｕｓ）及び再転送中に相異なるリダンダンシビットを選択する値（ｖａｌｕｅ  ｔｏ  ｓｅｌｅｃｔ  ａ  ｄｉｆｆｅｒｅｎｔ  ｒｅｄｕｎｄａｎｃｙ  ｂｉｔ  ｄｕｒｉｎｇ  ｒｅｔｒａｎｓｍｉｓｓｉｏｎ）のうちの少なくとも１つを含むことを特徴とする、請求項８に記載のパケットデータ送信方法。
【請求項１０】
前記チャネルエンコーダは、ＦＥＣ（ｆｏｒｗａｒｄ  ｅｒｒｏｒ  ｃｏｒｒｅｃｔｉｏｎ）エンコーダを含むことを特徴とする、請求項８に記載のパケットデータ送信方法。
【請求項１１】
前記データマップ情報要素は、ＨＡＲＱマップ情報要素（ＨＡＲＱ  ｍａｐ  ｉｎｆｏｒｍａｔｉｏｎ  ｅｌｅｍｅｎｔ）を含むことを特徴とする、請求項８に記載のパケットデータ送信方法。
【請求項１２】
前記複数の受信確認状態のためにハーフサブチャネル（ａ  ｈａｌｆ  ｓｕｂｃｈａｎｎｅｌ）が用いられることを特徴とする、請求項８に記載のパケットデータ送信方法。
【請求項１３】
前記複数の受信確認状態のうちの少なくとも一部は、コードワードで表現されることを特徴とする、請求項８に記載のパケットデータ送信方法。
【請求項１４】
前記データマップ情報要素は、上り回線マップ情報要素または下り回線マップ情報要素のいずれかであることを特徴とする、請求項８に記載のパケットデータ送信方法。
【請求項１５】
多重入出力を支援するように構成される無線通信システムにおいてパケットデータを送信する方法であって、
各レイヤーが相応するチャネルエンコーダでエンコーディングされる複数のレイヤーを含むデータバーストと、前記複数のレイヤーのそれぞれに相応する受信確認状態チャネルの割当情報を含む前記複数のレイヤーのそれぞれの制御情報を提供し、時空間送信ダイバーシティを獲得できる多重アンテナを支援するように構成されるデータマップ情報要素とを含む、下り回線データフレームを受信側に送信する段階と、
上り回線データフレームを通して、前記複数のレイヤーのうちの相応するレイヤーが正確にデコーディングされたか否かと関連する複数の受信確認状態を前記受信側から受信する段階と、
を含む、パケットデータ送信方法。
【請求項１６】
前記複数のレイヤーのそれぞれの制御情報は、トラフィック間隔（ｔｒａｆｆｉｃ  ｉｎｔｅｒｖａｌ）、チャネル識別子（ｃｈａｎｎｅｌ  ｉｄｅｎｔｉｆｉｅｒ）、再転送状態（ｒｅｔｒａｎｓｍｉｓｓｉｏｎ  ｓｔａｔｕｓ）及び再転送中に相異なるリダンダンシビットを選択する値（ｖａｌｕｅ  ｔｏ  ｓｅｌｅｃｔ  ａ  ｄｉｆｆｅｒｅｎｔ  ｒｅｄｕｎｄａｎｃｙ  ｂｉｔ  ｄｕｒｉｎｇ  ｒｅｔｒａｎｓｍｉｓｓｉｏｎ）のうちの少なくとも１つを含むことを特徴とする、請求項１５に記載のパケットデータ送信方法。
【請求項１７】
前記チャネルエンコーダは、ＦＥＣ（ｆｏｒｗａｒｄ  ｅｒｒｏｒ  ｃｏｒｒｅｃｔｉｏｎ）エンコーダを含むことを特徴とする、請求項１５に記載のパケットデータ送信方法。
【請求項１８】
前記データマップ情報要素は、ＨＡＲＱマップ情報要素（ＨＡＲＱ  ｍａｐ  ｉｎｆｏｒｍａｔｉｏｎ  ｅｌｅｍｅｎｔ）を含むことを特徴とする、請求項１５に記載のパケットデータ送信方法。
【請求項１９】
前記受信側から正確にデコーディングされなかったレイヤーを指示する受信確認を受信すると、相応するレイヤーと関連したデータを再転送する段階をさらに含むことを特徴とする、請求項１５に記載のパケットデータ送信方法。
【請求項２０】
前記複数の受信確認状態のためにハーフサブチャネル（ａ  ｈａｌｆ  ｓｕｂｃｈａｎｎｅｌ）が用いられることを特徴とする、請求項１５に記載のパケットデータ送信方法。
【請求項２１】
前記複数の受信確認状態のうちの少なくとも一部は、コードワードで表現されることを特徴とする、請求項１５に記載のパケットデータ送信方法。
【請求項２２】
前記データマップ情報要素は、上り回線マップ情報要素及び下り回線マップ情報要素のうちの１つであることを特徴とする、請求項１５に記載のパケットデータ送信方法。
【請求項２３】
パケットデータを送信する無線通信装置であって、
時空間ダイバーシティを獲得する複数のアンテナと、
前記複数のアンテナのうちの相応するアンテナと連結される複数のチャネルエンコーダと、
各レイヤーが相応するチャネルエンコーダでエンコーディングされる複数のレイヤーを含むデータバーストと、前記複数のレイヤーのそれぞれに相応する受信確認状態チャネルの割当情報を含む前記複数のレイヤーのそれぞれの制御情報を提供し、時空間送信ダイバーシティを獲得できる多重アンテナを支援するように構成されるデータマップ情報要素とを含む、データフレーム送信を制御し、前記複数のレイヤーのうちの相応するレイヤーが正確にデコーディングされたか否かと関連する複数の受信確認状態を含むデータフレーム受信を制御する、制御器と、
を含む、無線通信装置。
【請求項２４】
前記複数のレイヤーのそれぞれの制御情報は、トラフィック間隔（ｔｒａｆｆｉｃ  ｉｎｔｅｒｖａｌ）、チャネル識別子（ｃｈａｎｎｅｌ  ｉｄｅｎｔｉｆｉｅｒ）、再転送状態（ｒｅｔｒａｎｓｍｉｓｓｉｏｎ  ｓｔａｔｕｓ）及び再転送中に相異なるリダンダンシビットを選択する値（ｖａｌｕｅ  ｔｏ  ｓｅｌｅｃｔ  ａ  ｄｉｆｆｅｒｅｎｔ  ｒｅｄｕｎｄａｎｃｙ  ｂｉｔ  ｄｕｒｉｎｇ  ｒｅｔｒａｎｓｍｉｓｓｉｏｎ）のうちの少なくとも１つを含むことを特徴とする、請求項２３に記載のパケットデータ送信方法。
【請求項２５】
前記チャネルエンコーダは、ＦＥＣ（ｆｏｒｗａｒｄ  ｅｒｒｏｒ  ｃｏｒｒｅｃｔｉｏｎ）エンコーダを含むことを特徴とする、請求項２３に記載のパケットデータ送信方法。
【請求項２６】
前記データマップ情報要素は、ＨＡＲＱマップ情報要素（ＨＡＲＱ  ｍａｐ  ｉｎｆｏｒｍａｔｉｏｎ  ｅｌｅｍｅｎｔ）を含むことを特徴とする、請求項２３に記載のパケットデータ送信方法。
【請求項２７】
前記複数の受信確認状態のためにハーフサブチャネル（ａ  ｈａｌｆ  ｓｕｂｃｈａｎｎｅｌ）が用いられることを特徴とする、請求項２３に記載のパケットデータ送信方法。
【請求項２８】
前記複数の受信確認状態のうちの少なくとも一部は、コードワードで表現されることを特徴とする、請求項２３に記載のパケットデータ送信方法。
【請求項２９】
前記データマップ情報要素は、上り回線マップ情報要素または下り回線マップ情報要素のいずれかであることを特徴とする、請求項２３に記載のパケットデータ送信方法。
【発明の詳細な説明】
【技術分野】
【０００１】
本発明は、ＯＦＤＭＡ無線接続システムに係り、より具体的には、自動再転送要求（ＨＡＲＱ：Ｈｙｂｒｉｄ  Ａｕｔｏ  Ｒｅｔｒａｎｓｍｉｓｓｉｏｎ  ｒｅＱｅｓｔ）方式を支援するＯＦＤＭＡ無線接続システムに関する。本発明は、出願の広い範囲に適合しているが、特に、ＨＡＲＱを支援するＯＦＤＭＡ無線接続システムで多重アンテナシステムを使用する場合、同じ上り回線または下り回線データバーストを通して複数のアンテナによる信号転送をする際に転送エラーがないにもかかわらず再転送をしなければならないことから生じるオーバーヘッド（ｏｖｅｒｈｅａｄ）を低減させることに適している。
【背景技術】
【０００２】
一般に、ＡＲＱ（Ａｕｔｏｍａｔｉｃ  Ｒｅｐｅａｔ  Ｒｅｑｕｅｓｔ）とは、通信システムにおいて受信側が送信側からのデータを受信した後にデータを確かに受信したかを知らせる応答メッセージのことをいう。ＡＲＱは、送信側にデータが確かに受信されたか否かを知らせる。このＡＲＱ方式には、図１Ａ乃至図１Ｃに示す３つの方式がある。
【０００３】
図１Ａは、‘Ｓｔｏｐ−ａｎｄ−ｗａｉｔ’ＡＲＱ方式で、データ転送後に受信側ではＡＣＫまたはＮＡＣＫメッセージがくるまで待つ。しかる後に、新しいデータを送ったり再転送したりする。
【０００４】
図１Ｂは、‘Ｇｏ−ｂａｃｋ−Ｎ’ＡＲＱ方式で、送信側が受信側の応答にかかわらずにデータを継続して転送する。ＮＡＣＫ信号を受け取るとその部分から順に再び再転送をする。
【０００５】
図１Ｃに示す‘Ｓｅｌｅｃｔｉｖｅ−ｒｅｐｅａｔ’ＡＲＱは、送信側が受信側の応答にかかわらずにデータを継続して転送する。ＮＡＣＫ信号を受信したデータのみ再転送をする。
【０００６】
パケット転送通信システムにおいてデータレート（ｄａｔａ  ｒａｔｅ）が２Ｍｂｐｓ、１０Ｍｂｐｓ以上が要求されることに伴って、より高いコーディングレート（ｃｏｄｉｎｇ  Ｒａｔｅ）、より高次の変調方法など（Ｒｃ＝５／６、３／４、Ｍｏｄ＝１６−ＱＡＭ、６４−ＱＡＭ）が選択されており、これによりチャンネル上ではより大きいエラーが発生してしまうが、この問題を解決する方法の１つとして提示されている技術がＨＡＲＱ（Ｈｙｂｒｉｄ  ＡＲＱ）である。
【０００７】
ＨＡＲＱ方式は、エラーの発生したデータをバッファ（ｂｕｆｆｅｒ）に保存しておき、再転送される情報と結合してＦＥＣ（Ｆｏｒｗａｒｄ  Ｅｒｒｏｒ  Ｃｏｒｒｅｃｔｉｏｎ）を適用する。これに対し、ＡＲＱ方式では転送中にエラーの発生したデータを捨てる。すなわち、ＨＡＲＱ方式は、ＦＥＣとＡＲＱを組み合わせた方式といえる。ＨＡＲＱは、下記の４つに大別される。
【０００８】
第一の方式は、図２に示すように、Ｔｙｐｅ  Ｉ  ＨＡＲＱ方式で、データは常にエラー検出コード（ｅｒｒｏｒ  ｄｅｔｅｃｔｉｏｎ  ｃｏｄｅ）にアタッチしてＦＥＣを優先的に検出する。そして、パケットに依然としてエラーが残っていると、再転送を要求する。エラーのあるパケットは捨てられ、再転送されたパケットが同じＦＥＣコードで使用される。
【０００９】
第二の方式は、図３に示すＴｙｐｅ  ＩＩ  ＨＡＲＱ方式で、ＩＲＡＲＱ（Ｉｎｃｒｅｍｅｎｔａｌ  Ｒｅｄｕｎｄａｎｃｙ  ＡＲＱ）と呼ばれる方式である。これは、エラーの発生したパケットを捨てずバッファに保存しておき、再転送されたリダンダンシビット（ｒｅｄｕｎｄａｎｃｙ  ｂｉｔｓ）と結合する。再転送時には、データビットを除外したパリティビットのみを再転送する。再転送するパリティビットは、毎再転送時に異なるものとする。
【００１０】
第三の方式は、図４に示すＴｙｐｅ  ＩＩＩ  ＨＡＲＱ方式で、Ｔｙｐｅ  ＩＩの特別な場合であって、それぞれのパケットは自体的にデコーディング可能（ｓｅｌｆ−ｄｅｃｏｄａｂｌｅ）である。再転送は、エラーの発生した部分とデータがいずれも含まれたパケットとして構成されて再転送される。この方式は、Ｔｙｐｅ  ＩＩに比べてより正確なデコーディングが可能であるが、コーディングゲイン（ｃｏｄｉｎｇ  ｇａｉｎ）面で不利である。
【００１１】
第四の方式は、図５に示す‘Ｔｙｐｅ  Ｉ  ｗｉｔｈ  ｓｏｆｔ  ｃｏｍｂｉｎｉｎｇ’方式で、Ｔｙｐｅ  Ｉ機能に、受信側で初めて受信したデータを保存し、再転送されたデータとコンバイニング（ｃｏｍｂｉｎｉｎｇ）する機能が加えられた方式である。‘ソフトコンバイニングと結合したＴｙｐｅ  Ｉ’ＨＡＲＱ方式は、メトリックコンバイニング（ｍｅｔｒｉｃ  ｃｏｍｂｉｎｉｎｇ）またはチェースコンバイニング（ｃｈａｓｅ  ｃｏｍｂｉｎｉｎｇ）とも呼ばれる。この方式は、ＳＩＮＲ面で利得があり、再転送されるデータのパリティビットは常に同じものを用いる。
【００１２】
近年、有無線チャンネルで高速データ転送に好適な方式として、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）またはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）方式が活発に研究されている。ＯＦＤＭ方式では、相互直交性を持つ複数の搬送波を使用するので、周波数利用効率が高まる。送受信端でこのような複数の搬送波を変復調する過程はそれぞれ、ＩＤＦＴ（Ｉｎｖｅｒｓｅ  Ｄｉｓｃｒｅｔｅ  Ｆｏｕｒｉｅｒ  Ｔｒａｎｓｆｏｒｍ）とＤＦＴ（Ｄｉｓｃｒｅｔｅ  Ｆｏｕｒｉｅｒ  Ｔｒａｎｓｆｏｒｍ）を行ったのと同じ結果となり、ＩＦＦＴ（Ｉｎｖｅｒｓｅ  Ｆａｓｔ  Ｆｏｕｒｉｅｒ  Ｔｒａｎｓｆｏｒｍ）とＦＦＴ（Ｆａｓｔ  Ｆｏｕｒｉｅｒ  Ｔｒａｎｓｆｏｒｍ）を用いて高速に具現できる。
【００１３】
ＯＦＤＭの原理は、高速のデータストリームを複数の低速データストリームに分割し、複数の副搬送波（ｓｕｂｃａｒｒｉｅｒ）を用いて同時に転送することによってシンボル区間（ｓｙｍｂｏｌ  ｄｕｒａｔｉｏｎ）を増加させ、多重経路遅延拡散（ｍｕｌｔｉ−ｐａｔｈ  ｄｅｌａｙ  ｓｐｒｅａｄ）による時間領域で相対的な分散（ｄｉｓｐｅｒｓｉｏｎ）を減少させることである。ＯＦＤＭ方式によるデータの転送は、転送シンボルを単位として行う。
【００１４】
ＯＦＤＭ方式における変復調は、ＤＦＴ（Ｄｉｓｃｒｅｔｅ  Ｆｏｕｒｉｅｒ  Ｔｒａｎｓｆｏｒｍ）を用いて全ての副搬送波に対して一括的に処理できるため、個別副搬送波のそれぞれに対して変復調器を設計する必要がない。
【００１５】
図６は、ＯＦＤＭ方式変復調器の概念的構成を示す図である。図６に示すように、直列に入力されるデータストリームを副搬送波数分の並列データストリームに変換し、それぞれの並列データストリームを逆離散フーリエ変換する。高速のデータ処理のためにＩＦＦＴ（Ｉｎｖｅｒｓｅ  Ｆａｓｔ  Ｆｏｕｒｉｅｒ  Ｔｒａｎｓｆｏｒｍ）が用いられる。逆離散フーリエ変換されたデータは、再び直列データに変換されて周波数変換を経て送信される。受信側では信号を受信して逆過程にて復調する。
【００１６】
移動通信システムにおける資源は、周波数チャネル、すなわち、周波数帯域である。多重接続（Ｍｕｌｔｉｐｌｅ  Ａｃｃｅｓｓ）は、有限の周波数帯域を使用者間に效率的に割り当てて使用する方法論である。多重化（Ｄｕｐｌｅｘｉｎｇ）は、両方向通信でＵＬ（ＵｐＬｉｎｋ）とＤＬ（ＤｏｗｎＬｉｎｋ）の連結を区分する連結方法論である。無線多重接続及び多重化方式は、限定された周波数資源を效率的に使用するための無線転送技術のもっとも基本となるプラットホーム技術であり、割り当てられた周波数帯域、使用者数、転送率、移動性、セル構造、無線環境などによって決定される。
【００１７】
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）は、数個の搬送波を使用する複数搬送波転送／変調（ＭｕｌｔｉＣａｒｒｉｅｒ  Ｔｒａｎｓｍｉｓｓｉｏｎ／Ｍｏｄｕｌａｔｉｏｎ：ＭＣＭ）方式の１つで、入力データを使用搬送波の個数分だけ並列化し、データを各搬送波に載せて転送する方式である。ＯＦＤＭは、４世代移動通信の要求特性を満足させる有力な無線転送技術の候補として台頭しつつあり、使用者の多重接続方式によってＯＦＤＭ−ＦＤＭＡ、ＯＦＤＭ−ＴＤＭＡ、ＯＦＤＭ−ＣＤＭＡに分けられる。各方式は一長一短があり、また、それぞれの短所を補完するための手法が存在する。
【００１８】
なかでもＯＦＤＭ−ＦＤＭＡ（ＯＦＤＭＡ）は、４世代マクロ／マイクロセルラーインフラに適合した方式で、セル内干渉がなく、周波数再使用効率が高く、適応変調及びｇｒａｎｕｌａｒｉｔｙに優れている。また、ＯＦＤＭ−ＦＤＭＡの短所を補完するために分散周波数跳躍手法、多重アンテナ手法、強力な符号化手法などを用いてダイバーシティを高め、セル間干渉の影響を減らすことができる。ＯＦＤＭＡ方式は、各使用者の要求する転送率によって副搬送波の個数を異ならせて割り当てることによって資源分配を效率的に達成でき、ＯＦＤＭ−ＴＤＭＡのように各使用者ごとにデータを受信する前にプリアンブルを用いて初期化する必要がないため、転送効率が増加する。特に、ＯＦＤＭＡ方式は、多い副搬送波を使用する場合（すなわち、ＦＦＴ大きさが大きい場合）に適合するため、時間遅延拡散（Ｔｉｍｅ  Ｄｅｌａｙ  Ｓｐｒｅａｄ）が比較的大きい広い地域のセルを持つ無線通信システムに效率的に適用される。また、周波数−ホッピング（ｆｒｅｑｕｅｎｃｙ−ｈｏｐｐｉｎｇ）ＯＦＤＭＡ方式は、無線チャネルで深いフェーディングに陥った副搬送波が存在する場合や他の使用者による副搬送波干渉が存在する場合に、これを克服して周波数ダイバーシティ効果を高め、干渉平均効果を得るのに用いられる。図６は、周波数領域で割り当てられた格子が時間スロットによって周波数−ホッピングするＯＦＤＭＡ方式を示す。
【００１９】
図７は、従来のＯＦＤＭＡ無線通信システムにおけるデータフレームの構成を示す図である。図７において、横軸は時間軸で、シンボル単位に表示したものであり、縦軸は周波数軸で、サブチャネル（ｓｕｂｃｈａｎｎｅｌ）単位に表示したものである。前記サブチャネルは、複数の副搬送波の束を意味する。具体的に説明すると、ＯＦＤＭＡ物理階層では活性搬送波をグループに分離し、グループ別にそれぞれ異なる受信端に送信する。このように１つの受信端に転送される搬送波のグループをサブチャネル（ｓｕｂｃｈａｎｎｅｌ）という。この時、各サブチャネルを構成する搬送波は互いに隣接する、または、等間隔に離れていることができる。
【００２０】
各使用者に割り当てられるスロット（ｓｌｏｔ）は、図７に示すように、２次元空間のデータ領域（Ｄａｔａ  Ｒｅｇｉｏｎ）によって定義され、これは、バースト（ｂｕｒｓｔ）によって割り当てられる連続的なサブチャネルの集合である。ＯＦＤＭＡで１つのデータ領域は、図２に示すように、時間座標とサブチャネル座標によって決定される直方形で図式化される。このようなデータ領域は、特定使用者の上り回線に割り当てられることができる。また、下り回線では特定の使用者に基地局がデータ領域を転送できる。
【００２１】
ＯＦＤＭ／ＯＦＤＭＡ無線通信システムの従来技術において、基地局（ＢＳ）は端末（ＭＳＳ）に送信するデータが存在する場合、ＤＬ−ＭＡＰ（Ｄｏｗｎｌｉｎｋ−ＭＡＰ）を通して送信するデータ領域を割り当てる。端末は、割り当てられた領域（図７でＤＬ  ｂｕｒｓｔ  ＃１〜＃５）を通してデータを受信する。
【００２２】
図７で、下り回線サブフレームは、物理階層での同期化と等化をするために用いられるプリアンブル（Ｐｒｅａｍｂｌｅ）で始め、続いて下り回線と上り回線に割り当てられるバーストの位置と用途を定義する放送形態の下り回線ＭＡＰ（ＤＬ−ＭＡＰ）メッセージと上り回線ＭＡＰ（ＵＬ−ＭＡＰ）メッセージを通してフレーム全体に対する構造を定義する。
【００２３】
ＤＬ−ＭＡＰメッセージは、バーストモード物理階層で下り回線区間に対してバースト別に割り当てられた用途を定義し、ＵＬ−ＭＡＰメッセージは、上り回線区間に対して割り当てられたバーストの用途を定義する。ＤＬ−ＭＡＰを構成する情報要素（ＩＥ：Ｉｎｆｏｒｍａｔｉｏｎ  Ｅｌｅｍｅｎｔ）は、ＤＩＵＣ（Ｄｏｗｎｌｉｎｋ  Ｉｎｔｅｒｖａｌ  Ｕｓａｇｅ  Ｃｏｄｅ）とＣＩＤ（Ｃｏｎｎｅｃｔｉｏｎ  ＩＤ）及びバーストの位置情報（サブチャネルオフセット、シンボルオフセット、サブチャネル数、シンボル数）によって使用者端に下り回線トラフィック区間が区分される。一方、ＵＬ−ＭＡＰメッセージを構成する情報要素は、各ＣＩＤ（Ｃｏｎｎｅｃｔｉｏｎ  ＩＤ）別にＵＩＵＣ（Ｕｐｌｉｎｋ  Ｉｎｔｅｒｖａｌ  Ｕｓａｇｅ  Ｃｏｄｅ）によって用途が定められ、‘ｄｕｒａｔｉｏｎ’によって該当区間の位置が規定付けられる。ここで、ＵＬ−ＭＡＰで用いられるＵＩＵＣ値によって区間別用途が定められ、各区間は、その以前ＩＥ開始点からＵＬ−ＭＡＰ  ＩＥで規定された‘ｄｕｒａｔｉｏｎ’分離れた地点から始まる。
【００２４】
ＤＣＤ（Ｄｏｗｎｌｉｎｋ  Ｃｈａｎｎｅｌ  Ｄｅｓｃｒｉｐｔｏｒ）メッセージとＵＣＤ（Ｕｐｌｉｎｋ  Ｃｈａｎｎｅｌ  Ｄｅｓｃｒｉｐｔｏｒ）メッセージはそれぞれ、下り回線と上り回線に割り当てられたバースト区間で適用される物理階層関連パラメータとして変調タイプ（ｍｏｄｕｌａｔｉｏｎ  ｔｙｐｅ）、ＦＥＣコードタイプ（ＦＥＣ  Ｃｏｄｅ  ｔｙｐｅ）などを含む。また、様々な順方向誤り訂正コード類型によって必要なパラメータ（例えば、Ｒ−Ｓ  ＣｏｄｅのＫ、Ｒ値等）を規定する。これらのパラメータは、ＵＣＤ及びＤＣＤ内部でそれぞれＵＩＵＣ（Ｕｐｌｉｎｋ  Ｉｎｔｅｒｖａｌ  Ｕｓａｇｅ  Ｃｏｄｅ）及びＤＩＵＣ（Ｄｏｗｎｌｉｎｋ  Ｉｎｔｅｒｖａｌ  Ｕｓａｇｅ  Ｃｏｄｅ）別に規定されたバーストプロファイル（Ｂｕｒｓｔ  Ｐｒｏｆｉｌｅ）によって与えられる。
【００２５】
ＯＦＤＭＡ通信システムでバースト割当方式は、ＨＡＲＱ方式を支援するか否かによって、一般ＭＡＰ方式とＨＡＲＱ方式とに区分されることができる。
【００２６】
下り回線（ｄｏｗｎｌｉｎｋ）で一般ＭＡＰでのバースト（ｂｕｒｓｔ）割当方式は、図７に示すように、時間軸と周波数軸からなる四角形を教える。すなわち、開始シンボル番号（ｓｙｍｂｏｌ  ｏｆｆｓｅｔ）、開始サブチャネル番号（ｓｕｂｃｈａｎｎｅｌ  ｏｆｆｓｅｔ）、使用されるシンボルの個数と使用されるサブチャネルの個数（Ｎｏ．ＯＦＤＭＡ  ｓｙｍｂｏｌｓ、Ｎｏ．Ｓｕｂｃｈａｎｎｅｌｓ）を教えてやる。上り回線ではシンボル軸に順に割り当てる方式を使用するため、使用されるシンボルの個数のみを教えてやると上り回線のバーストを割り当てることができる。
【００２７】
図８は、ＨＡＲＱＭＡＰによるデータフレームを示す図である。ＨＡＲＱＭＡＰでは、一般ＭＡＰとは違い、上り回線と下り回線のいずれもサブチャネル（ｓｕｂｃａｒｒｉｅｒ）軸に沿って順に割り当てる方式を使用する。ＨＡＲＱＭＡＰでは、バーストの長さのみを知らせる。この方法は、図８に示すように、バーストを順次に割り当てる。バーストの開始位置は、以前バーストが終わった位置であり、開始位置から割り当てられた長さ分無線資源を占有する。以下で説明される方式は、周波数軸に沿ってバーストを累積型に割り当てる方式に関するもので、時間軸に沿って割り当てる方式も同じ原理に基づく。
【００２８】
また、ＨＡＲＱＭＡＰでは、ＭＡＰメッセージを数個に分けて（図８参照：ＨＡＲＱＭＡＰ＃１、＃２、…、＃Ｎ）、各ＭＡＰメッセージが任意のバーストの情報を持っているようにすることができる。例えば、ＭＡＰメッセージ＃１はバースト＃１、ＭＡＰメッセージ＃２はバースト＃２、ＭＡＰメッセージ＃３はバースト＃３〜＃５の情報を含むことができる。
【００２９】
前述したように、ＯＦＤＭＡシステムでＨＡＲＱを支援するためにＨＡＲＱＭＡＰを利用する。ＨＡＲＱＭＡＰは、ＤＬＭＡＰ中にＨＡＲＱＭＡＰポインタ（ｐｏｉｎｔｅｒ）ＩＥがあり、ＨＡＲＱＭＡＰ位置を知らせると、ＨＡＲＱＭＡＰで下り回線のサブチャネル軸に順次にバーストを割り当てる方式を使用する。バーストの開始位置は、以前バーストが終わった位置であり、開始位置から割り当てられた長さ分、無線資源を占有する。これは、上り回線でもそのまま適用される。
【００３０】
これ以外にもＨＡＲＱＭＡＰでは、制御情報（ｃｏｎｔｒｏｌ  ｉｎｆｏｒｍａｔｉｏｎ）を知らせねばならない。表１に、制御情報を知らせるためのＨＡＲＱコントロールＩＥのデータフォーマットを表す。
【００３１】
【表１】
2008526090.tif 000003
前記制御情報にはＡＩ＿ＳＮ、ＳＰＩＤ、ＳＣＩＤなどがあるが、ＡＩ＿ＳＮは、同じＡＲＱチャネルでバーストの転送が成功した時、‘０’と‘１’間にトグル（ｔｏｇｇｌｅ）されて送信するバーストが、新しいバーストか以前のバーストを再転送するものかを知らせる値である。ＨＡＲＱ転送のために各バーストに挿入されるデータビット（ｄａｔａ  ｂｉｔｓ）当たり４種類のリダンダンシビット（ｒｅｄｕｎｄａｎｃｙ  ｂｉｔｓ）をおくが、ＳＰＩＤは再転送時ごとに異なるリダンダンシビットを選択するための値であり、ＳＣＩＤはＨＡＲＱチャネルＩＤである。
【００３２】
転送されたデータバーストが成功的に受信されたか否かを、上り回線のＡＣＫ信号区域（ＡＣＫ  Ｓｉｇｎａｌ  Ｒｅｇｉｏｎ）にＡＣＫ／ＮＡＣＫ信号で知らせる。端末がｉ番目のフレームでバーストを受けたとすれば、ＡＣＫ／ＮＡＣＫ信号は（ｉ＋ｊ）番目のフレームの上り回線のＡＣＫ信号区域に送られる。ｊ値はＵＣＤによって送られる。ＡＣＫ信号区域を割り当てる方法には、各ＨＡＲＱＭＡＰメッセージごとに上り回線にＡＣＫ信号区域を割り当てる方法と、フレームの数個のＨＡＲＱＭＡＰメッセージのうち、２つ以上のＨＡＲＱＭＡＰメッセージが１つのＡＣＫ信号区域を利用する方法がある。
【００３３】
フレームのＨＡＲＱＡＣＫ区域を１つと定め、ＨＡＲＱＭＡＰメッセージが示すバーストのＡＣＫ／ＮＡＣＫ信号のスロット（ｓｌｏｔ）を順に知らせる方法について具体的に説明する。
【００３４】
図９は、ＨＡＲＱＭＡＰメッセージにおけるＨＡＲＱ信号区域の割当方式を説明するための図である。ＨＡＲＱＭＡＰメッセージでＡＣＫ信号区域が、ＡＣＫ信号区域の開始位置と大きさの４つの情報（ＯＦＤＭＡ  Ｓｙｍｂｏｌ  ｏｆｆｓｅｔ、Ｓｕｂｃｈａｎｎｅｌ  ｏｆｆｓｅｔ、Ｎｏ．ＯＦＤＭＡ  Ｓｙｍｂｏｌｓ、Ｎｏ．Ｓｕｂｃｈａｎｎｅｌｓ）を用いて上り回線に割り当てる。それぞれの端末は、各バーストが成功的に受信されたか否かを表すＡＣＫ／ＮＡＣＫ信号を、上り回線に割り当てられたＡＣＫ信号区域（図９）に順次に入力する。ＡＣＫ／ＮＡＣＫ信号の開始位置は、以前に受信されたＡＣＫ／ＮＡＣＫ情報の次の位置である。ＡＣＫ／ＮＡＣＫ信号の順序は、ＨＡＲＱＭＡＰメッセージにある下り回線のバースト順にしたがう。すなわち、バースト＃１から＃７までの順に、既に割り当てられている上り回線のＨＡＲＱＡＣＫ区域内でのＡＣＫ／ＮＡＣＫ信号も＃１〜＃７までのバーストに相応する順に送る。
【００３５】
図９に示すように、ＭＡＰ  Ｍｅｓｓａｇｅ  ＃１はバースト＃１、＃２の割当情報を含んでおり、ＭＡＰ  Ｍｅｓｓａｇｅ  ＃２はバースト＃３、＃４に対する割当情報を含んでおり、ＭＡＰ  Ｍｅｓｓａｇｅ  ＃３はバースト＃５〜＃に対する割当情報を含んでいる。ＭＳＳ＃１は、ＭＡＰ  Ｍｅｓｓａｇｅ  ＃１の内容のうちのバースト＃１の情報を読み取り、転送されたデータが成功的に受信されたか否かを、ＨＡＲＱＭＡＰメッセージで指示するＡＣＫ信号区域内における１番目のスロットに知らせる。ＭＳＳ＃２は、ＡＣＫ信号区域内でバースト＃１のＡＣＫ／ＮＡＣＫ信号スロットの次の順序に知らせる。（ＭＡＰ  ｍｅｓｓａｇｅ  ＃１の内容のうち、バースト＃１のカウントを１増加させてＨＡＲＱＡＣＫ区域内での位置がわかる。）ＭＳＳ＃３は、ＭＡＰ  Ｍｅｓｓａｇｅ  ＃１のバースト＃１、＃２のカウント合計を計算することによってＨＡＲＱＡＣＫ区域内での位置がわかる。こういう方式によってすべてのＨＡＲＱＡＣＫ区域における位置が順次に分かる。
【００３６】
この時、１つの端末が下り回線バーストの領域に多重アンテナを支援し、同じ領域にデータを載せて送るか、複数の端末が同じ領域にデータを載せて送る場合には、全てのレイヤー（ｌａｙｅｒ）に対してＣＲＣに誤りがない場合に限ってＡＣＫ信号を送り、そうでない場合にはＮＡＣＫ信号を送る。ここで、レイヤーとは転送されるデータのコーディングの単位を意味するもので、１からアンテナ数分の個数を持つことができる。例えば、転送されるデータ全体をコーディングした後にＣＲＣを挿入し、これをアンテナ数で分けて全てのアンテナを通して転送する場合にはレイヤーの数はいずれも１つであり、各アンテナに載せられるデータをそれぞれコーディングし、ＣＲＣを挿入して転送すると、レイヤーの数はアンテナの数と同一になる（図１０参照）。端末が上り回線でバーストを転送し、基地局がバーストを受信し、下り回線でＡＣＫ信号を送る場合でも、上の状況がそのまま適用される。
【００３７】
上記のような従来技術は、多重アンテナシステムでない場合には簡単に適用可能であるが、多重アンテナシステムの場合には従来技術を適用すると資源の浪費につながる。例えば、２つの端末がバースト＃２に各自のデータを載せた場合、レイヤーの数が２である。基地局で検出した結果、端末＃１のバーストには誤りがないが、端末＃２のバーストには誤りがある場合、上記の従来技術の原則によって２つの端末、すなわち、端末＃１、＃２の両方にＮＡＣＫ信号を送ることになる。したがって、２つの端末ともデータを送らなければならず、結果として端末＃１のデータは誤り無く転送されたにもかかわらず捨てられて再転送されなければならず、資源の浪費を招く。下り回線においてもこのような上り回線における問題点がそのまま生じる。
【発明の開示】
【発明が解決しようとする課題】
【００３８】
本発明は、多重入出力を支援するように構成される無線通信システムにおいてパケットデータを送信することと関連する。
【００３９】
本発明の追加的な利点、目的及び特徴は、一部は以下の詳細な説明で説明され、一部は、以下説明に基づいて技術分野における通常の知識を持つ者にとって明らかになり、本発明の実施から明らかになる。上記発明の目的、他の利点は、添付の図面の他に、ここに作成された説明及び請求項によって指摘された構造によって実現され取得可能になる。
【課題を解決するための手段】
【００４０】
以上の目的及び他の利点を得るために、また、発明の目的に応じてここに含まれ、広く記述される本発明の一実施様態として、多重入出力を支援するように構成される無線通信システムにおいてパケットデータを送信する方法は、各レイヤーが相応するチャネルエンコーダでエンコーディングされる複数のレイヤーを含むデータバーストと、前記複数のレイヤーのそれぞれに相応する受信確認状態チャネルの割当情報を含む前記複数のレイヤーのそれぞれの制御情報を提供し、時空間送信ダイバーシティを獲得できる多重アンテナを支援するように構成されるデータマップ情報要素とを含む、下り回線データフレームとを受信する段階、及び、上り回線データフレームを通して前記複数のレイヤーのうちの相応するレイヤーが正確にデコーディングされたか否かと関連する複数の受信確認状態を送信する段階を含む。
【００４１】
上記本発明の一面において、前記複数のレイヤーのそれぞれの制御情報は、トラフィック間隔（ｔｒａｆｆｉｃ  ｉｎｔｅｒｖａｌ）、チャネル識別子（ｃｈａｎｎｅｌ  ｉｄｅｎｔｉｆｉｅｒ）、再転送状態（ｒｅｔｒａｎｓｍｉｓｓｉｏｎ  ｓｔａｔｕｓ）及び再転送中に相異なるリダンダンシビットを選択する値（ｖａｌｕｅ  ｔｏ  ｓｅｌｅｃｔ  ａ  ｄｉｆｆｅｒｅｎｔ  ｒｅｄｕｎｄａｎｃｙ  ｂｉｔ  ｄｕｒｉｎｇ  ｒｅｔｒａｎｓｍｉｓｓｉｏｎ）のうちの少なくとも１つを含む。
【００４２】
本発明の他の面において、前記チャネルエンコーダは、ＦＥＣ（ｆｏｒｗａｒｄ  ｅｒｒｏｒ  ｃｏｒｒｅｃｔｉｏｎ）エンコーダを含む。
【００４３】
本発明のさらに他の面において、前記データマップ情報要素は、ＨＡＲＱマップ情報要素（ＨＡＲＱ  ｍａｐ  ｉｎｆｏｒｍａｔｉｏｎ  ｅｌｅｍｅｎｔ）を含む。
【００４４】
本発明のさらに他の面において、前記複数の受信確認状態のためにハーフサブチャネル（ａ  ｈａｌｆ  ｓｕｂｃｈａｎｎｅｌ）が用いられる。
【００４５】
本発明のさらに他の面において、前記複数の受信確認状態のうちの少なくとも一部はコードワードで表現される。
【００４６】
本発明のさらに他の面において、前記データマップ情報要素は、上り回線マップ情報要素または下り回線マップ情報要素のいずれかである。
【００４７】
本発明の他の実施様態によって多重入出力を支援するように構成される無線通信システムにおいてパケットデータを送信する方法は、複数のレイヤーのそれぞれに相応する受信確認状態チャネルの割当情報を含む前記複数のレイヤーのそれぞれの制御情報を提供し、時空間送信ダイバーシティを獲得できる多重アンテナを支援するように構成されるデータマップ情報要素を含む第１下り回線データフレームを受信する段階、上り回線データフレームを通して、各レイヤーが相応するチャネルエンコーダでエンコーディングされる前記複数のレイヤーを含むデータバーストを送信する段階、及び、各受信確認状態が、前記複数のレイヤーのうちの相応するレイヤーが正確にデコーディングされたか否かと関連する複数の受信確認状態を含む第１下り回線データフレームを受信する段階を含む。
【００４８】
上記本発明の一面において、前記複数のレイヤーのそれぞれの制御情報は、トラフィック間隔（ｔｒａｆｆｉｃ  ｉｎｔｅｒｖａｌ）、チャネル識別子（ｃｈａｎｎｅｌ  ｉｄｅｎｔｉｆｉｅｒ）、再転送状態（ｒｅｔｒａｎｓｍｉｓｓｉｏｎ  ｓｔａｔｕｓ）及び再転送中に相異なるリダンダンシビットを選択する値（ｖａｌｕｅ  ｔｏ  ｓｅｌｅｃｔ  ａ  ｄｉｆｆｅｒｅｎｔ  ｒｅｄｕｎｄａｎｃｙ  ｂｉｔ  ｄｕｒｉｎｇ  ｒｅｔｒａｎｓｍｉｓｓｉｏｎ）のうちの少なくとも１つを含む。
【００４９】
本発明の他の面において、前記チャネルエンコーダは、ＦＥＣ（ｆｏｒｗａｒｄ  ｅｒｒｏｒ  ｃｏｒｒｅｃｔｉｏｎ）エンコーダを含む。
【００５０】
本発明のさらに他の面において、前記データマップ情報要素は、ＨＡＲＱマップ情報要素（ＨＡＲＱ  ｍａｐ  ｉｎｆｏｒｍａｔｉｏｎ  ｅｌｅｍｅｎｔ）を含む。
【００５１】
本発明のさらに他の面において、前記複数の受信確認状態のためにハーフサブチャネル（ａ  ｈａｌｆ  ｓｕｂｃｈａｎｎｅｌ）が用いられる。
【００５２】
本発明のさらに他の面において、前記複数の受信確認状態のうちの少なくとも一部は、コードワードで表現される。
【００５３】
本発明のさらに他の面において、前記データマップ情報要素は、上り回線マップ情報要素または下り回線マップ情報要素のいずれかである。
【００５４】
本発明のさらに他の実施様態において、多重入出力を支援するように構成される無線通信システムにおいてパケットデータを送信する方法は、各レイヤーが相応するチャネルエンコーダでエンコーディングされる複数のレイヤーを含むデータバーストと、前記複数のレイヤーのそれぞれに相応する受信確認状態チャネルの割当情報を含む前記複数のレイヤーのそれぞれの制御情報を提供し、時空間送信ダイバーシティを獲得できる多重アンテナを支援するように構成されるデータマップ情報要素とを含む、下り回線データフレームを受信側に送信する段階、及び、上り回線データフレームを通して前記複数のレイヤーのうちの相応するレイヤーが正確にデコーディングされたか否かと関連する複数の受信確認状態を前記受信側から受信する段階を含む。
【００５５】
上記本発明の一面において、前記複数のレイヤーのそれぞれの制御情報は、トラフィック間隔（ｔｒａｆｆｉｃ  ｉｎｔｅｒｖａｌ）、チャネル識別子（ｃｈａｎｎｅｌ  ｉｄｅｎｔｉｆｉｅｒ）、再転送状態（ｒｅｔｒａｎｓｍｉｓｓｉｏｎ  ｓｔａｔｕｓ）及び再転送中に相異なるリダンダンシビットを選択する値（ｖａｌｕｅ  ｔｏ  ｓｅｌｅｃｔ  ａ  ｄｉｆｆｅｒｅｎｔ  ｒｅｄｕｎｄａｎｃｙ  ｂｉｔ  ｄｕｒｉｎｇ  ｒｅｔｒａｎｓｍｉｓｓｉｏｎ）のうちの少なくとも１つを含む。
【００５６】
本発明の他の面において、前記チャネルエンコーダは、ＦＥＣ（ｆｏｒｗａｒｄ  ｅｒｒｏｒ  ｃｏｒｒｅｃｔｉｏｎ）エンコーダを含む。
【００５７】
本発明の他の面において、前記データマップ情報要素は、ＨＡＲＱマップ情報要素（ＨＡＲＱ  ｍａｐ  ｉｎｆｏｒｍａｔｉｏｎ  ｅｌｅｍｅｎｔ）を含む。
【００５８】
好ましく、前記方法は、前記受信側から正確にデコーディングされなかったレイヤーを指示する受信確認を受信すると、相応するレイヤーと関連したデータを再転送する段階をさらに含む。
【００５９】
本発明の他の面において、前記複数の受信確認状態のためにハーフサブチャネル（ａ  ｈａｌｆ  ｓｕｂｃｈａｎｎｅｌ）が用いられる。
【００６０】
本発明のさらに他の面において、前記複数の受信確認状態のうちの少なくとも一部は、コードワードで表現される。
【００６１】
本発明のさらに他の面において、前記データマップ情報要素は、上り回線マップ情報要素または下り回線マップ情報要素のいずれかである。
【００６２】
本発明のさらに他の実施様態において、パケットデータを送信する無線通信装置は、時空間ダイバーシティを獲得する複数のアンテナ、前記複数のアンテナのうちの相応するアンテナと連結される複数のチャネルエンコーダ、及び、各レイヤーが相応するチャネルエンコーダでエンコーディングされる複数のレイヤーを含むデータバーストと、前記複数のレイヤーのそれぞれに相応する受信確認状態チャネルの割当情報を含む前記複数のレイヤーのそれぞれの制御情報を提供し、時空間送信ダイバーシティを獲得できる多重アンテナを支援するように構成されるデータマップ情報要素とを含む、データフレーム送信を制御し、前記複数のレイヤーのうちの相応するレイヤーが正確にデコーディングされた否かと関連する複数の受信確認状態を含むデータフレーム受信を制御する、制御器を含む。
【００６３】
上記本発明の一面において、前記複数のレイヤーのそれぞれの制御情報は、トラフィック間隔（ｔｒａｆｆｉｃｉ  ｎｔｅｒｖａｌ）、チャネル識別子（ｃｈａｎｎｅｌ  ｉｄｅｎｔｉｆｉｅｒ）、再転送状態（ｒｅｔｒａｎｓｍｉｓｓｉｏｎ  ｓｔａｔｕｓ）及び再転送中に相異なるリダンダンシビットを選択する値（ｖａｌｕｅ  ｔｏ  ｓｅｌｅｃｔ  ａ  ｄｉｆｆｅｒｅｎｔ  ｒｅｄｕｎｄａｎｃｙ  ｂｉｔ  ｄｕｒｉｎｇ  ｒｅｔｒａｎｓｍｉｓｓｉｏｎ）のうちの少なくとも１つを含む。
【００６４】
本発明の他の面において、前記チャネルエンコーダは、ＦＥＣ（ｆｏｒｗａｒｄ  ｅｒｒｏｒ  ｃｏｒｒｅｃｔｉｏｎ）エンコーダを含む。
【００６５】
本発明のさらに他の面において、前記データマップ情報要素は、ＨＡＲＱマップ情報要素（ＨＡＲＱ  ｍａｐ  ｉｎｆｏｒｍａｔｉｏｎ  ｅｌｅｍｅｎｔ）を含む。
【００６６】
本発明のさらに他の面において、前記複数の受信確認状態のためにハーフサブチャネル（ａ  ｈａｌｆ  ｓｕｂｃｈａｎｎｅｌ）が用いられる。
【００６７】
本発明のさらに他の面において、前記複数の受信確認状態のうちの少なくとも一部は、コードワードで表現される。
【００６８】
本発明のさらに他の面において、前記データマップ情報要素は、上り回線マップ情報要素または下り回線マップ情報要素のいずれかである。
【００６９】
本発明の以上且つ他の目的、特徴、形状及び利点は、添付の図面に基づいて行われる以下の本発明の詳細な説明からより明確になる。以上の本発明の全般的な説明及び以下の詳細な説明はいずれも例示的で且つ説明的なもので、請求項によって発明の追加的な説明が提供される。
【産業上の利用可能性】
【００７０】
本発明は、広域無線接続システム、移動通信システムまたは移動性インターネットシステムなどのような無線通信システムに適用可能である。
【発明を実施するための最良の形態】
【００７１】
本発明は、ＯＦＤＭＡ無線接続システムに係り、より具体的には、自動再転送要求（ＨＡＲＱ：Ｈｙｂｒｉｄ  Ａｕｔｏ  Ｒｅｔｒａｎｓｍｉｓｓｉｏｎ  ｒｅＱｅｓｔ）方式を支援するＯＦＤＭＡ無線接続システムに関する。特に、本発明は、多重入出力を支援するように構成される無線通信システムにおいてパケットデータを送信することと関連する。
【００７２】
以下、添付の図面を参照しつつ、本発明の好適な実施形態について詳細に説明する。図面中、同一の構成要素には可能な限り同一の参照符号を付する。
【００７３】
本発明は、多重アンテナシステムの適用される上り回線または下り回線データバースト（ｄａｔａ  ｂｕｒｓｔ）において各レイヤー（ｌａｙｅｒ）別にＡＣＫまたはＮＡＣＫ信号を送信できる方法を開示する。言い換えると、多重アンテナシステムの適用された上り回線または下り回線データバーストに対しては、前記データバーストに割り当てられたレイヤーの個数分のＡＣＫ／ＮＡＣＫ信号転送チャネルを割り当てる。
【００７４】
下り回線バーストの領域に１つの端末が多重アンテナを支援して同じ領域にデータを載せて送るか、複数の端末が同じ領域にデータを載せて送る場合に、全てのレイヤーの信号は同じ領域に載せられる。この場合、受信側では検波によって各レイヤー別信号を区別することができる。そして、区別された各レイヤーの信号に対してＣＲＣをチェックし、各レイヤー別信号の誤り有無が確認できる。
【００７５】
本発明は、このように各レイヤー別信号の誤り有無をそれぞれＡＣＫまたはＮＡＣＫ信号を転送することによって送信側に知らせるためのものである。これを支援するためには、各レイヤー別信号の誤り有無を載せて送るようにすべく、各レイヤー別ＡＣＫまたはＮＡＣＫチャネルの割当が必要である。これらのチャネルを通してバーストを送信した側では、各レイヤーごとのＡＣＫまたはＮＡＣＫ信号が受信でき、該信号によって次の転送方式を決定する。例えば、ＮＡＣＫを受信したレイヤーの信号は再転送し、ＡＣＫを受信したレイヤーの信号はシステムの具現方式によって他のレイヤーがＡＣＫ信号を受信するまで送信を停止し、他の信号との干渉を低減できる。
【００７６】
待機している他のデータを載せて転送量を増やすことができる。このように各レイヤー別に異なる転送方式を用いるためには、制御情報を各レイヤーごとに与えなければならない。すなわち、従来は、全てのレイヤーが一緒にＡＣＫまたはＮＡＣＫを受信し、よって、一緒にまとめてコントロール情報を与えてきたが、本発明の方法では、各レイヤーごとにそれぞれＡＣＫまたはＮＡＣＫを受信するか否かによって、新しいバーストを与えるか、以前のバーストを再転送するか（ＡＩ＿ＳＮ）、４種類のうちの何番目のリダンダンシビットを与えるか（ＳＰＩＤ）及びＨ−ＡＲＱチャネルＩＤ（ＳＣＩＤ）を定めなければならない。
【００７７】
図１１は、本発明の好ましい一実施例によるＯＦＤＭＡ無線接続システムにおけるデータフレームを示す図である。好ましくは、多重アンテナシステムが適用され、２レイヤー（ｌａｙｅｒ）によって複数の端末にデータを転送する基地局によるＡＣＫ／ＮＡＣＫ転送チャネルの割当方法の一実施例を説明するための図である。
【００７８】
図１１で、基地局は、下り回線（ＤＬ）サブフレームに下り回線ＡＣＫ信号区域（ＤＬ−ＡＣＫ  ＳＩＧＮＡＬ  ＲＥＧＩＯＮ）を割り当て、上り回線（ＵＬ）サブフレームに上り回線ＡＣＫ信号区域（ＵＬ−ＡＣＫ  ＳＩＧＮＡＬ  ＲＥＧＩＯＮ）を割り当てる。前記下り回線ＡＣＫ信号区域は、複数の端末が転送したデータに対する応答として前記基地局が転送するＡＣＫまたはＮＡＣＫ信号のために割り当てられた区域である。前記上り回線ＡＣＫ信号区域は、前記基地局が転送したデータに対する応答として前記複数の端末が転送するＡＣＫまたはＮＡＣＫ信号のために割り当てられた区域である。
【００７９】
前記基地局が２レイヤー（２−ｌａｙｅｒ）によってデータバーストを転送する場合には、これらの２レイヤーによるデータバーストを受信する端末は、前記基地局の各レイヤー別に転送されたデータの転送誤りをチェックする（例えば、ＣＲＣチェック）。その結果、各レイヤー別に転送誤りがないとＡＣＫ信号を転送し、転送誤りがあるとＮＡＣＫ信号を転送する。前記基地局によって１つのレイヤーで転送されるデータバーストを受信する端末に対しては、１つのＡＣＫ／ＮＡＣＫ転送チャネルが割り当てられる。結果的に、各端末に対して上り回線サブフレーム（ｕｐｌｉｎｋ  ｓｕｂ−ｆｒａｍｅ）の前記上り回線ＡＣＫ信号区域に、前記基地局が各データバーストを転送するのに使用するレイヤーの数と同数のＡＣＫ／ＮＡＣＫ転送チャネル（＃１−１、＃１−２、＃２−１、＃２−２、＃３、＃４、…）を割り当てる。
【００８０】
前記基地局は前記下り回線ＡＣＫ信号区域内で、２つのレイヤーによってデータを転送する端末に対してはレイヤー別にＡＣＫ／ＮＡＣＫ転送チャネル（＃２−１、＃２−２）を割り当て、１つのレイヤーを使用する端末に対しては１つのＡＣＫ／ＮＡＣＫ転送チャネル（＃１、＃３、＃４、…）を割り当てる。前記基地局は、前記端末から転送されたデータに対して転送誤りをチェックする（例えば、ＣＲＣチェック）。その結果、各レイヤー別に転送誤りがないとＡＣＫ信号を転送し、転送誤りがあるとＮＡＣＫ信号を転送する。
【００８１】
前記ＡＣＫ／ＮＡＣＫ転送チャネルは、上り回線ＡＣＫ信号区域及び下り回線ＡＣＫ信号区域内で時間軸に順に割り当てられても良く、周波数軸に順に割り当てられても良く、周波数軸及び時間軸に交互に割り当てられても良い。従来は、１つのＡＣＫまたはＮＡＣＫ信号ごとにハーフサブチャネル（ｈａｌｆ  ｓｕｂｃｈａｎｎｅｌ）を用い、周波数軸及び時間軸に交互に、すなわち、図１２に示す順に割り当てられている。前記ハーフサブチャネルは、２４個の副搬送波からなる。
【００８２】
図１３は、上り回線ＡＣＫ信号区域及び下り回線ＡＣＫ信号区域内で前記ＡＣＫ／ＮＡＣＫ転送チャネルを割り当てる他の方式を示す図である。好ましくは、図１３は、上り回線ＡＣＫ信号区域及び下り回線ＡＣＫ信号区域内で多重アンテナシステムが適用された端末に対する上り回線または下り回線ＡＣＫ区域を個別に割り当てた例を示す図である。
【００８３】
図１３を参照すると、下り回線ＡＣＫ区域内で２つのレイヤー（２−ｌａｙｅｒ）によってデータバーストを転送する端末に対して、１番目のレイヤーのためのＡＣＫ／ＮＡＣＫ転送チャネル（＃２−１）は、１つのレイヤーによってデータバーストを転送する端末のためのＡＣＫ／ＮＡＣＫ転送チャネルと共に割り当てる。該２つのレイヤー（２−ｌａｙｅｒ）によってデータバーストを転送する端末に対して、２番目のレイヤーのためのＡＣＫ／ＮＡＣＫ転送チャネル（＃２−２）は、前記下り回線ＡＣＫ区域内に別のＡＣＫ区域（ｒｅｇｉｏｎ）を設定して割り当てる。好ましくは、上り回線ＡＣＫ区域（ＵＬ−ＡＣＫ  ｒｅｇｉｏｎ）にも同じ方式が適用される。
【００８４】
図１３で、前記基地局は、４つのレイヤー（４−ｌａｙｅｒ）によってＨＡＲＱＤＬバースト＃２を転送する。２番目以上のレイヤーに対して割り当てられる前記別のＡＣＫ区域は、１番目のレイヤーに対するＡＣＫ／ＮＡＣＫ転送チャネルが割り当てられた区域の次に割り当てられることが好ましい。
【００８５】
図１４は、上り回線ＡＣＫ信号区域及び下り回線ＡＣＫ信号区域内で前記ＡＣＫ／ＮＡＣＫ転送チャネルを割り当てるさらに他の方式の例を示す図である。
【００８６】
図１４で、上り回線ＡＣＫ信号区域及び下り回線ＡＣＫ信号区域内で多重アンテナシステムが適用された端末に対する上り回線または下り回線ＡＣＫ区域を個別に割り当てることは、図１３の例におけると同様である。ただし、図１４の方法で、複数のレイヤーが適用された同じデータバーストのための複数のＡＣＫ／ＮＡＣＫ転送チャネル（＃２−２、＃２−３、＃２−４）をコードワード（ｃｏｄｅｗｏｒｄ）を用いて１つのＡＣＫ／ＮＡＣＫ転送チャネルに割り当てる点が、図１３と異なる。すなわち、図１４に示す実施例では、レイヤー数が多くなると上り回線ＡＣＫ区域の範囲が余分に拡大されることがあり、よって、該範囲を縮めるためにコードワードを使用したわけである。
【００８７】
表２及び表３は、図１４を支援するためのコードワードを例示したものである。
【００８８】
【表２】
2008526090.tif 000004
【００８９】
【表３】
2008526090.tif 000005
上り回線ＡＣＫ／ＮＡＣＫ信号の転送においては、前述したように、ＡＣＫまたはＮＡＣＫ信号１つ当たりに２４個の副搬送波からなるハーフサブチャネル（ｈａｌｆ  ｓｕｂｃｈａｎｎｅｌ）を使用するが、表２及び表３のようなコードワードを使用すると、２４個の副搬送波を用いて３つまでのＡＣＫまたはＮＡＣＫ信号を転送できる。表２及び表３の例は、４つのレイヤーのためのコードワードを定義したもので、これは２つまたは３個のレイヤーに対しても適用可能である。すなわち、３つのレイヤーの適用されたデータバーストに対しては表２及び表３においてレイヤー４に関するものを無視し、２つのレイヤーの適用されたデータバーストに対してはレイヤー４及びレイヤー３に関するものを無視すればよい。
【００９０】
一方、下り回線の場合、従来の方式と同様に、ＡＣＫ／ＮＡＣＫ信号を１つのビットを用いて転送する場合には、コードワードを使用する必要性が減少する。
【００９１】
図１５は、上り回線ＡＣＫ信号区域及び下り回線ＡＣＫ信号区域内で前記ＡＣＫ／ＮＡＣＫ転送チャネルを割り当てる方式のさらに他の例を示す図である。
【００９２】
図１５を参照すると、多重アンテナシステムの適用されたデータバーストを使用する端末のためのＡＣＫ区域を、図１３または図１４と同様な方式で個別に割り当てる。残りの上り回線または下り回線ＡＣＫ区域には、従来方式のように全てのレイヤーに対してＣＲＣに誤りがない場合に限ってＡＣＫ信号を送り、そうでない場合にはＮＡＣＫ信号を送るようにＡＣＫ／ＮＡＣＫ転送チャネルを割り当てる。
【００９３】
表４及び表５はそれぞれ、本発明の好ましい一実施例によるＭＩＭＯコンパクトＤＬ−ＭＡＰ  ＩＥ及びＭＩＭＯコンパクトＵＬ−ＭＡＰ  ＩＥのフォーマットを表す。
【００９４】
【表４】
2008526090.tif 000006
【００９５】
【表５】
2008526090.tif 000007
従来の情報要素（ＩＥ）は、各レイヤーごとに制御情報を別に置くことができず、本発明を支援できない。したがって、ＨＡＲＱ多重アンテナを支援するための情報メッセージ（ＭＩＭＯ  Ｃｏｍｐａｃｔ  ＤＬ／ＵＬ  ＭＡＰ  ＩＥ）に、各レイヤーごとにそれぞれＡＣＫまたはＮＡＣＫを受信するかによって、新しいバーストを与えるかまたは以前のバーストを再転送するか（ＡＩ＿ＳＮ）を表す情報、４種類のうちの何番目のリダンダンシビットを与えるか（ＳＰＩＤ）を表す情報、及びＨ−ＡＲＱチャネルＩＤ（ＳＣＩＤ）の情報を含む制御情報が与えられる場合に限って、各レイヤーごとに異なる動作が可能になる。前記制御情報は、必要によって直接ＨＡＲＱ多重アンテナを支援するための情報メッセージ（ＭＩＭＯ  Ｃｏｍｐａｃｔ  ＤＬ／ＵＬ  ＭＡＰ  ＩＥ）にフィールドを置いても良く、実施例のように既存の‘Ｃｏｎｔｒｏｌ＿ＩＥ’という情報要素をＨＡＲＱ多重アンテナを支援するための情報メッセージ（ＭＩＭＯ  Ｃｏｍｐａｃｔ  ＤＬ／ＵＬ  ＭＡＰ  ＩＥ）に挿入する方式でも使用可能である。
【００９６】
本発明によれば、多重アンテナシステムにおいて同じ上り回線または下り回線データバーストを通して複数のアンテナによる信号転送をする場合に、レイヤー別にＡＣＫまたはＮＡＣＫ信号を転送できる。したがって、本発明は、転送エラーがないにもかかわらずに再転送しなければならないことから生じるオーバーヘッド（ｏｖｅｒｈｅａｄ）を低減することができる。
【００９７】
以上では本発明が移動通信において説明されたが、本発明は、ＰＤＡ及び無線通信装備を備えたノートブックのような移動装置を使用するいずれの無線通信システムにおいても使用可能である。
【００９８】
より好ましい実施例は、方法、装置、または、標準プログラミング及び／またはソフトウェア、ファームウエア、ハードウェアまたはある結合を生産するための工学的技術を利用する製造方法装置として具現化されることができる。前記製造方法の用語は、ハードウェアロジック（例えば、集積回路チップ（Ｉｎｔｅｇｒａｔｅｄ  ｃｉｒｃｕｉｔ  ｃｈｉｐ）、フィールドプログラム可能ゲートアレイ（Ｆｉｅｌｄ  Ｐｒｏｇｒａｍｍａｂｌｅ  Ｇａｔｅ  Ａｒｒａｙ：ＦＰＧＡ）、適用特定集積回路（Ａｐｐｌｉｃａｔｉｏｎ  Ｓｐｅｃｉｆｉｃ  Ｉｎｔｅｇｒａｔｅｄ  ｃｉｒｃｕｉｔ：ＡＳＩＣ）等）で行われるコードまたはロジック、または、コンピュータで読み取り可能な媒体（例えば、磁気記憶媒体（ｍａｇｎｅｔｉｃ  ｓｔｏｒａｇｅ  ｍｅｄｉｕｍ）（例えば、ハードディスクドライブ、フロッピー（登録商標）ディスクテープ等）、光学記憶装置（ｏｐｔｉｃａｌ  ｓｔｏｒａｇｅ）（例えば、ＣＤ−ＲＯＭｓ、ｏｐｔｉｃａｌ  ｄｉｓｋ等）、揮発性／不揮発性記憶装置（例えば、ＥＥＰＲＯＭｓ、ＲＯＭｓ、ＰＲＯＭｓ、ＲＡＭｓ、ＤＲＡＭｓ、ＳＲＡＭｓ、ｆｉｒｍｗａｒｅ、ｐｒｏｇｒａｍｍａｂｌｅ  ｌｏｇｉｃ等）などを意味する。
【００９９】
前記コンピュータで読み取り可能な媒体に含まれたコードは、プロセッサによって接近及び実行される。より好ましい実施例で実行される前記コードは、転送メディアまたは、ネットワークを通してファイルサーバーから接近可能であって良い。前記コードが実行される製造方法は、ネットワーク転送ライン、無線転送メディア、空間、無線波、赤外線信号などを通した信号伝播などを含むことができる。もちろん、当該技術分野における当業者にとっては、本発明の範囲を逸脱しない本構成を可能にする多くの適用及び従来技術に知られた媒体を改善したいずれの情報を含むことができる製造方法が明らかである。好ましくは、本発明は、図１０に示すように、複数のアンテナとチャネルエンコーダと共に上に説明したプロセッサを含む移動通信装置と、図６に示す構成で具現されることができる。
【０１００】
本発明は、本発明の精神及び必須特徴を逸脱しない範囲で他の特定な形態に具体化できることは当業者には自明である。本発明の範囲は、添付の請求項及び本発明の等価的範囲内で提供可能な本発明の変更はいずれも本発明の範囲に含まれる。
【図面の簡単な説明】
【０１０１】
【図１Ａ】ＡＲＱ方式の種類による特徴を説明するための図である。
【図１Ｂ】ＡＲＱ方式の種類による特徴を説明するための図である。
【図１Ｃ】ＡＲＱ方式の種類による特徴を説明するための図である。
【図２】ＨＡＲＱ方式の種類による特徴を説明するための図である。
【図３】ＨＡＲＱ方式の種類による特徴を説明するための図である。
【図４】ＨＡＲＱ方式の種類による特徴を説明するための図である。
【図５】ＨＡＲＱ方式の種類による特徴を説明するための図である。
【図６】ＯＦＤＭ方式の変復調器の概念的構成を示す図である。
【図７】従来のＯＦＤＭＡ無線通信システムにおけるデータフレームの構成を示す図である。
【図８】従来技術においてＨＡＲＱバーストを割り当てるデータフレームの構成を示す図である。
【図９】従来技術においてＨＡＲＱＭＡＰメッセージにおけるＨＡＲＱ信号区域の割当方式を説明するための図である。
【図１０】従来技術においてレイヤー別のエンコーディング方法を説明するための図である。
【図１１】本発明の好ましい一実施例によるＯＦＤＭＡ無線接続システムにおけるデータフレームを示す図である。
【図１２】本発明の好ましい一実施例においてＡＣＫ／ＮＡＣＫ転送チャネルの割当順序を示す例示図である。
【図１３】本発明の好ましい一実施例によって上り回線ＡＣＫ信号区域及び下り回線ＡＣＫ信号区域内でＡＣＫ／ＮＡＣＫ転送チャネルを割り当てる方式を示す図である。
【図１４】本発明の好ましい他の実施例によって上り回線ＡＣＫ信号区域及び下り回線ＡＣＫ信号区域内でＡＣＫ／ＮＡＣＫ転送チャネルを割り当てる方式を示す図である。
【図１５】本発明の好ましいさらに他の実施例によって上り回線ＡＣＫ信号区域及び下り回線ＡＣＫ信号区域内でＡＣＫ／ＮＡＣＫ転送チャネルを割り当てる方式を示す図である。
【図１Ａ】
2008526090.tif 000008
【図１Ｂ】
2008526090.tif 000009
【図１Ｃ】
2008526090.tif 000010
【図２】
2008526090.tif 000011
【図３】
2008526090.tif 000012
【図４】
2008526090.tif 000013
【図５】
2008526090.tif 000014
【図６】
2008526090.tif 000015
【図７】
2008526090.tif 000016
【図８】
2008526090.tif 000017
【図９】
2008526090.tif 000018
【図１０】
2008526090.tif 000019
【図１１】
2008526090.tif 000020
【図１２】
2008526090.tif 000021
【図１３】
2008526090.tif 000022
【図１４】
2008526090.tif 000023
【図１５】
2008526090.tif 000024
【国際調査報告】
2008526090.tif 000025
2008526090.tif 000026
2008526090.tif 000027